(57)【要約】      （修正有）【課題】被撮像面が面中心から面周辺部に向かうにつれ物体側へ倒れるように湾曲している撮像素子とともに用いられ、コンパクトでありながら、自然な色調を持つ画像を取得できる撮像装置並びにデジタル機器を提供する。【解決手段】固体撮像素子と、固体撮像素子の撮像面ＩＭに被写体像を結像させるための撮像レンズと、固体撮像素子と撮像レンズの最も像側のレンズとの間に配置された副光学素子Ｆとを有する撮像装置は、撮像レンズが3枚以上のレンズからなり、撮像面ＩＭ及び副光学素子Ｆの少なくとも一部は、中心に対し周辺部の方が物体側へ倒れるように湾曲しており、副光学素子Ｆは、入射した赤外線を吸収し、或いは反射し、もしくはその両方を行う。【選択図】図７
2015040869.tif 000002
【特許請求の範囲】
【請求項１】
固体撮像素子と、前記固体撮像素子の撮像面に被写体像を結像させるための撮像レンズと、前記固体撮像素子と前記撮像レンズの最も像側のレンズとの間に配置された副光学素子とを有する撮像装置であって、
前記撮像レンズは3枚以上のレンズからなり、
前記撮像面及び前記副光学素子の少なくとも一部は、中心に対し周辺部の方が物体側へ倒れるように湾曲しており、
前記副光学素子は、入射した赤外線を吸収し、或いは反射し、もしくはその両方を行い、以下の条件式を満足することを特徴とする撮像装置。
TTL / Yd ≦ 1.70      （１）
-2 ＞ A×B_S1 ＞ -10      （２）
-2 ＞ A×B_S2 ＞ -10      （３）
0.5 ＜ B_S2 / C ＜ 2      （４）
ここで、
TTL;前記撮像レンズの無限遠物体時の光学全長(ｍｍ)
Yd;前記固体撮像素子の撮像面上の対角方向の最大像高(ｍｍ)
A;YL'/[ D(exp)-x(IM)_YL' ]
B_S1; ( YL'-0.5YL' )/[ x(IR_S1)_0.5YL'- x(IR_S1)_YL' ]
B_S2; ( YL'-0.5YL' )/[ x(IR_S2)_0.5YL'- x(IR_S2)_YL' ]
C; ( YL'-0.5YL' )/[ x(IM)_0.5YL'- x(IM)_YL' ]
ただし、
YL'; 前記固体撮像素子の撮像面上の長辺方向最大像高を光軸と垂直な面へ正射影した際の光軸からの高さ(ｍｍ)
0.5YL'; 前記固体撮像素子の撮像面上の長辺方向最大の半分の像高を光軸と垂直な面へ正射影した際の光軸からの高さ(ｍｍ)
D(exp); 射出瞳位置から前記固体撮像素子の撮像面までの距離(ｍｍ)
x(IM)_YL' ; 長辺方向光軸からの高さYL'における前記固体撮像素子の撮像面の面頂点からの光軸方向サグ量(ｍｍ)
x(IM)_0.5YL' ; 長辺方向光軸からの高さ0.5YL'における前記固体撮像素子の撮像面の面頂点からの光軸方向サグ量(ｍｍ)
x(IR_S1)_YL' ; 長辺方向光軸からの高さYL'における前記副光学素子の物体側面の像側面頂点からの光軸方向サグ量(ｍｍ)
x(IR_S1)_0.5YL' ; 長辺方向光軸からの高さ0.5YL'における前記副光学素子の物体側面の像側面頂点からの光軸方向サグ量(ｍｍ)
x(IR_S2)_YL' ; 長辺方向光軸からの高さYL'における前記副光学素子の像側面の像側面頂点からの光軸方向サグ量(ｍｍ)
x(IR_S2)_0.5YL' ; 長辺方向光軸からの高さ0.5YL'における前記副光学素子の像側面の像側面頂点からの光軸方向サグ量(ｍｍ)
【請求項２】
前記副光学素子は厚さが略均一であって射出成形で作られることを特徴とする請求項１に記載の撮像装置。
【請求項３】
前記副光学素子は厚さが略均一であってフィルム状の樹脂を湾曲して作られることを特徴とする請求項１に記載の撮像装置。
【請求項４】
前記撮像レンズは以下の条件を満たすことを特徴とする請求項１〜３のいずれかに記載の撮像装置。
FN ≦ 3.0      （５）
25 ≦ w ≦ 100      （６）
ただし、
FN;  Fナンバー
w; 半画角（°）
【請求項５】
前記副光学素子は赤外線を吸収する材料からなり、少なくとも1面には、400nm以下の波長域ならびに700nm以上の波長域における各透過率を制御するコーティング層を備えることを特徴とする請求項１〜４のいずれかに記載の撮像装置。
【請求項６】
請求項１〜５のいずれかに記載の撮像装置と、前記固体撮像素子を制御して被写体の静止画撮影および動画撮影の少なくとも一方の撮影を行わせる制御部とを有し、前記撮像レンズが、前記固体撮像素子の撮像面上に前記被写体の光学像を形成可能に組み付けられていることを特徴とするデジタル機器。
【請求項７】
携帯端末からなることを特徴とする請求項６の記載のデジタル機器。
【発明の詳細な説明】
【技術分野】
【０００１】
本発明は、ＣＣＤ型イメージセンサあるいはＣＭＯＳ型イメージセンサ等の固体撮像素子を用いた小型の撮像装置およびこれを備えるデジタル機器に関する。
【背景技術】
【０００２】
近年、ＣＣＤ(Charged Coupled Device)型イメージセンサあるいはＣＭＯＳ(Complementary Metal Oxide Semiconductor)型イメージセンサ等の固体撮像素子を用いた小型の撮像装置が、携帯電話やＰＤＡ(Personal Digital Assistance)等の携帯端末、更にはノートパソコン等にも搭載されるようになり、遠隔地や音声情報だけなく画像情報も相互に転送することが可能になってきている。
【０００３】
このような撮像装置に用いられる固体撮像素子においては、近年、画素サイズの小型化が進み、撮像素子の高画素化や小型化が図られている。さらに、撮像面を湾曲させた撮像素子も開発されており、そのような撮像素子に最適な、小型で高性能を有する撮影レンズが求められるようになっている。
【０００４】
一方、撮像装置の更なる小型化をするためにも撮像レンズの全長もさらに短縮化することが要求されている。撮像レンズは、パワー（屈折力）配置や、レンズの厚み、空気間隔の工夫で小型化することには限界があり、近年、撮像レンズの焦点距離を短くした広角レンズを用いることで、光学系の全長を抑える試みがされようになってきた。しかるに、単に撮像レンズの光学系全長を抑えるのみでは、十分な光学性能を実現できない恐れがある。
【０００５】
これに対し、特許文献１に記載の撮像レンズは、光学系をコンパクトにすることにより発生する像面湾曲の低減と、撮像面への光線入射角を小さくすることによるシェーディング緩和を目的として、撮像素子をレンズ側へ湾曲させた構成を提案している。
【先行技術文献】
【特許文献】
【０００６】
【特許文献１】国際公開第２０１３／０２７６４１号パンフレット
【発明の概要】
【発明が解決しようとする課題】
【０００７】
ところで、特許文献１に開示された撮像装置において、近赤外線(IR)カットフィルターを撮像素子の前に配置している。このＩＲカットフィルターは、撮像素子に入射する被写体光において近赤外線をカットすることで、被写体としての人物の衣裳や商品、絵画等の撮影時に、グリーン系の色がグレーや赤茶色に写ったり、青紫色の花の色が赤紫色に写ってしまうことを防ぐ機能を有する。しかるに、特許文献１に開示されたＩＲカットフィルターは平行平板であるから、フィルター面へ垂直に入射する光線と、斜めに入射する光線とでは、フィルター内を通過する光路長が変化することになるが、吸収される赤外線量はフィルター内の光路長に依存するので、垂直入射光と斜め入射光とで赤外線吸収量が大きく変わるという特性がある。つまり、ＩＲカットフィルターが平行平板となっていると、入射角の小さい軸上付近の光束と入射角が比較的大きい軸外付近の光束では赤外線カット効果が変わってしまうのである。
【０００８】
このため、撮影された被写体は各像高を通る光線ごとに色味に変化が発生することになり、被写体を良好な結像性能で撮影することが出来ないという問題がある。特に撮像レンズをコンパクトにしていくと、軸上付近と軸外付近光束のＩＲカットフィルターへの入射角差はさらに広がる傾向となる為、画面中央と周辺とで被写体の色味の差が顕著に生じることとなる。又、特許文献１の撮像装置では撮像素子を湾曲させているが、ＩＲカットフィルターは平行平板であるので、撮像レンズの最も像側のレンズ面と、撮像素子の撮像面との距離を比較的大きく確保しないと、ＩＲカットフィルターが撮像レンズ又は撮像素子と干渉してしまう。従って、撮像素子の光学方向全長を短縮できないという問題もある。
【０００９】
本発明は、このような問題点に鑑みてなされたものであり、撮像面が面中心から面周辺部に向かうにつれ物体側へ倒れるように湾曲している撮像素子とともに用いられ、コンパクトでありながら、自然な色調を持つ画像を取得できる撮像装置並びにデジタル機器を提供することを目的とする。
【課題を解決するための手段】
【００１０】
請求項１に記載の撮像装置は、固体撮像素子と、前記固体撮像素子の撮像面に被写体像を結像させるための撮像レンズと、前記固体撮像素子と前記撮像レンズの最も像側のレンズとの間に配置された副光学素子とを有する撮像装置であって、
前記撮像レンズは3枚以上のレンズからなり、
前記撮像面及び前記副光学素子の少なくとも一部は、中心に対し周辺部の方が物体側へ倒れるように湾曲しており、
前記副光学素子は、入射した赤外線を吸収し、或いは反射し、もしくはその両方を行い、以下の条件式を満足することを特徴とする。
TTL / Yd ≦ 1.70      （１）
-2 ＞ A×B_S1 ＞ -10      （２）
-2 ＞ A×B_S2 ＞ -10      （３）
0.5 ＜ B_S2 / C ＜ 2      （４）
ここで、
TTL;前記撮像レンズの無限遠物体時の光学全長(ｍｍ)
Yd;前記固体撮像素子の撮像面上の対角方向の最大像高(ｍｍ)
A;YL'/[ D(exp)-x(IM)_YL' ]
B_S1; ( YL'-0.5YL' )/[ x(IR_S1)_0.5YL'- x(IR_S1)_YL' ]
B_S2; ( YL'-0.5YL' )/[ x(IR_S2)_0.5YL'- x(IR_S2)_YL' ]
C; ( YL'-0.5YL' )/[ x(IM)_0.5YL'- x(IM)_YL' ]
ただし、
YL'; 前記固体撮像素子の撮像面上の長辺方向最大像高を光軸と垂直な面へ正射影した際の光軸からの高さ(ｍｍ)
0.5YL'; 前記固体撮像素子の撮像面上の長辺方向最大の半分の像高を光軸と垂直な面へ正射影した際の光軸からの高さ(ｍｍ)
D(exp); 射出瞳位置から前記固体撮像素子の撮像面までの距離(ｍｍ)
x(IM)_YL' ; 長辺方向光軸からの高さYL'における前記固体撮像素子の撮像面の面頂点からの光軸方向サグ量(ｍｍ)
x(IM)_0.5YL' ; 長辺方向光軸からの高さ0.5YL'における前記固体撮像素子の撮像面の面頂点からの光軸方向サグ量(ｍｍ)
x(IR_S1)_YL' ; 長辺方向光軸からの高さYL'における前記副光学素子の物体側面の像側面頂点からの光軸方向サグ量(ｍｍ)
x(IR_S1)_0.5YL' ; 長辺方向光軸からの高さ0.5YL'における前記副光学素子の物体側面の像側面頂点からの光軸方向サグ量(ｍｍ)
x(IR_S2)_YL' ; 長辺方向光軸からの高さYL'における前記副光学素子の像側面の像側面頂点からの光軸方向サグ量(ｍｍ)
x(IR_S2)_0.5YL' ; 長辺方向光軸からの高さ0.5YL'における前記副光学素子の像側面の像側面頂点からの光軸方向サグ量(ｍｍ)
【００１１】
本発明によれば、赤外線を吸収、反射、またはその両方を行う副光学素子を設けたことにより、前記固体撮像素子の撮像面に入射する被写体光中の赤外光線をカットすることが出来るので、前記固体撮像素子から出力された画像信号に基づき得られる画像において、赤外線の混入による画質への悪影響を排除することが出来る。また、前記撮像レンズを3枚以上のレンズ構成とすることにより、良好な光学性能を得ることが出来る。
【００１２】
又、前記撮像面の少なくとも一部を、中心に対し周辺部の方が物体側へ倒れるように湾曲させることにより、その方向で発生する像面湾曲の低減と、前記撮像面への光線入射角を小さくすることによりシェーディングの緩和をすることが出来る。ここで、「湾曲」しているとは、撮像面上において撮像レンズの光軸と交差する点に対し、その周辺の点が光軸方向において撮像レンズに近接する側に位置することをいう。
【００１３】
加えて、前記副光学素子の少なくとも一部が、中心に対し周辺部の方が物体側へ倒れるように湾曲しているので、従来の平行平板フィルターと比較すると、光軸付近を通る光線と、有効径内側を通る光線とで、前記副光学素子に入射する角度が近づくため、撮像面に入射する各像高の光に含まれる赤外線の量が平均化されることとなり、これにより前記固体撮像素子から出力された画像信号に基づく画像全体における色味が均等になり、高画質な画像を得ることができる。
【００１４】
ここで、式（１）は、撮像装置をコンパクトにするための条件を規定する。式（１）の値が上限を下回るようにすることで、コンパクトな撮像装置を実現できる。
【００１５】
しかるに、前記副光学素子の湾曲度合いが大きくなり過ぎる（曲率半径が小さくなり過ぎる）と、前記撮像レンズとの干渉を回避するために、前記撮像レンズと前記固体撮像素子との間隔を確保しなくてはならず、撮像装置全長が長くなる。一方、撮像装置全長を抑えるために前記副光学素子の湾曲度合いを小さくし過ぎる（曲率半径を大きくし過ぎる）と、平行平板に近づいてしまい画像の色味を均等化する効果が薄れることとなる。本発明者は鋭意研究の結果、前記副光学素子の適正な湾曲度合いの範囲を求めた。
【００１６】
図１は、本発明の撮像装置の一例における副光学素子Ｆと撮像面ＩＭの長辺方向断面図である。図２は、図１の矢印II部を拡大して示す図である。図中、射出瞳ＥＰの中心Ｏを原点とし、縦軸をＹ，光軸に重ねた横軸をＸ（像側を正とする）で表し、各部の寸法を以下のように表す。但し、面ＶＰは撮像面ＩＭの面頂点を通り光軸に垂直な面であり、面ＦＰは副光学素子Ｆの像側面頂点を通り光軸に垂直な面である。
YL'; 撮像面ＩＭ上の長辺方向最大像高を光軸と垂直な面ＶＰへ正射影した際の光軸からの高さ(ｍｍ)
0.5YL'; 撮像面ＩＭ上の長辺方向最大の半分の像高を光軸と垂直な面ＶＰへ正射影した際の光軸からの高さ(ｍｍ)
D(exp); 射出瞳ＥＰ位置から撮像面ＩＭまでの距離(ｍｍ)
x(IM)_YL' ; 長辺方向光軸からの高さYL'における撮像面ＩＭの面頂点からの光軸方向サグ量(ｍｍ)
x(IM)_0.5YL' ; 長辺方向光軸からの高さ0.5YL'における撮像面ＩＭの面頂点からの光軸方向サグ量(ｍｍ)
x(IR_S1)_YL' ; 長辺方向光軸からの高さYL'における副光学素子Ｆの物体側面Ｓ１の像側面頂点からの光軸方向サグ量(ｍｍ)
x(IR_S1)_0.5YL' ; 長辺方向光軸からの高さ0.5YL'における副光学素子Ｆの物体側面Ｓ１の像側面頂点からの光軸方向サグ量(ｍｍ)
x(IR_S2)_YL' ; 長辺方向光軸からの高さYL'における副光学素子Ｆの像側面Ｓ２の像側面頂点からの光軸方向サグ量(ｍｍ)
x(IR_S2)_0.5YL' ; 長辺方向光軸からの高さ0.5YL'における副光学素子Ｆの像側面Ｓ２の像側面頂点からの光軸方向サグ量(ｍｍ)
【００１７】
図１において、射出瞳の中心Ｏと、撮像面ＩＭにおける光軸からの高さYL'とを結ぶ直線をＬ１とすると、直線Ｌ１の傾きＡは、以下の式で表せる。ここで、傾きＡは、長辺方向における、最軸外光線の光軸に対する傾きを表す指標の量である。
A＝YL'/[ D(exp)-x(IM)_YL' ]      （ｅｑ１）
【００１８】
図２において、副光学素子Ｆの物体側面Ｓ１における、光軸からの高さYL'と、光軸からの高さ0.5YL'とを結ぶ直線をＬ２とすると、直線Ｌ２の傾きB_S1は、以下の式で表せる。
B_S1＝( YL'-0.5YL' )/[ x(IR_S1)_0.5YL'- x(IR_S1)_YL' ]      （ｅｑ２）
【００１９】
図２において、副光学素子Ｆの像側面Ｓ２における、光軸からの高さYL'と、光軸からの高さ0.5YL'とを結ぶ直線をＬ３とすると、直線Ｌ３の傾きB_S2は、以下の式で表せる。尚、傾きB_S1、B_S2（代表してBという）は、長辺方向における、副光学素子の物体側または、像側面周辺部の光軸に対する平均傾きを表す指標の量である。
B_S2＝( YL'-0.5YL' )/[ x(IR_S2)_0.5YL'- x(IR_S2)_YL' ]      （ｅｑ３）
【００２０】
図２において、撮像面ＩＭにおける、光軸からの高さYL'と、光軸からの高さ0.5YL'とを結ぶ直線をＬ４とすると、直線Ｌ４の傾きＣは、以下の式で表せる。
C＝( YL'-0.5YL' )/[ x(IM)_0.5YL'- x(IM)_YL' ]      （ｅｑ４）
【００２１】
ここで、被写体光の入射角が大きくなって問題が生じるのは、光軸からの高さ0.5YL'より外側の範囲である。すなわち、光軸からの高さ0.5YL'から、光軸からの高さYL'までの範囲内で、被写体光の入射角が０に近づいていれば好ましい。
【００２２】
式（２）は、長辺方向における、副光学素子Ｆの物体側面Ｓ１への軸外光線入射角を小さくする条件を規定する。式（３）は、長辺方向における、副光学素子Ｆの像側面Ｓ２への軸外光線入射角を小さくする条件を規定する。ここで、A×B=-1(直線Ｌ１と，直線Ｌ２およびＬ３同士が直交する幾何学的条件)であれば、周辺光線における副光学素子の物体側面と像側面への入射角が０になるので、画角中心と周辺で赤外線カットの差を少なくできるが、必ずしも直交しなくても赤外線の吸収もしくは反射量のバラツキは少なく、又、厳密に入射角０を目指すと副光学素子Ｆと撮像レンズとの干渉を招く恐れがある。そこで、式（２）、（３）の条件を定めた。
【００２３】
すなわち、自然な色調を持つ画像を取得できるコンパクトな撮像装置を実現しつつ、式（２）、（３）の値が上限値を下回ることにより、副光学素子Ｆが倒れすぎず撮像レンズに干渉しにくい構成を可能とする。又、式（２）、（３）の値が下限値を上回ることにより、副光学素子Ｆが起きすぎず撮像面ＩＭに干渉しにくい構成を可能とする。
【００２４】
加えて、撮像面ＩＭの形状を調整して、副光学素子Ｆに干渉することを回避する必要がある。式（４）は，副光学素子Ｆと撮像面ＩＭ同士の関係を規定する。ここで、B/C=1(直線Ｌ３と直線Ｌ４同士が平行する幾何学的条件)であれば、撮像面ＩＭと副光学素子Ｆとの干渉を抑制できる。そこで、式（４）の条件を定めた。式（４）の値が上限値を下回り、且つ下限値を上回ることにより、レンズと副光学素子の像側面が平行に近づき,相互の干渉を回避できる。
【００２５】
請求項２に記載の撮像装置は、請求項１に記載の発明において、前記副光学素子は厚さが略均一であって射出成形で作られることを特徴とする。
【００２６】
前記副光学素子を射出成形で形成することで、曲率など高精度を確保しつつ安価に製造できる。尚、「厚さが略均一」とは、副光学素子の平均厚さに対して、厚さバラツキが±２５％以内である場合をいう。
【００２７】
請求項３に記載の撮像装置は、請求項１に記載の発明において、前記副光学素子は厚さが略均一であってフィルム状の樹脂を湾曲して作られることを特徴とする。
【００２８】
前記副光学素子をフィルム状の樹脂から湾曲して形成することで、高精度を確保しつつ安価に製造できる。
【００２９】
請求項４に記載の撮像装置は、請求項１〜３のいずれかに記載の発明において、前記撮像レンズは以下の条件を満たすことを特徴とする。
FN ≦ 3.0      （５）
25 ≦ w ≦ 100      （６）
ただし、
FN;  Fナンバー
w; 半画角（°）
【００３０】
条件式（５）を満たすことで、比較的暗い撮像レンズを用いた場合に生じ易いノイズの増加や暗所性能の悪化を回避することができる。また、比較的暗い撮像レンズに、赤外線吸収又は反射機能のある副光学素子を組み合わせようとした場合、副光学素子の赤外線吸収材が限定され、コスト高になってしまう恐れがあるが、条件式（５）を満たすことで、コスト高を回避することができる。そして、このような撮像レンズが、条件式（６）を満たすことで、上述の作用効果を効果的に得ることができる。好ましくは、式（５’）を満たすことである。
FN ≦ 2.8      （５’）
より好ましくは、式（５”）を満たすことである。
FN ≦ 2.4      （５”）
更に好ましくは、式（６’）を満たすことである。
30 ≦ w ≦ 60      （６’）
より好ましくは、式（６”）を満たすことである。
30 ≦ w ≦ 55    （６”）
【００３１】
請求項５に記載の撮像装置は、請求項１〜４のいずれかに記載の発明において、前記副光学素子は赤外線を吸収する材料からなり、少なくとも1面には、400nm以下の波長域ならびに700nm以上の波長域における各透過率を制御するコーティング層を備えることを特徴とする。
【００３２】
前記副光学素子に用いた赤外線吸収材料によって、所望の赤外線カット特性（各波長における赤外線カット量）を得られない場合に、前記コーティング層によって赤外線カット特性の不足分を補償することができ、所望の赤外線カット特性を得ることができる。
【００３３】
請求項６に記載のデジタル機器は、請求項１〜５のいずれかに記載の撮像装置と、前記固体撮像素子を制御して被写体の静止画撮影および動画撮影の少なくとも一方の撮影を行わせる制御部とを有し、前記撮像レンズが、前記固体撮像素子の撮像面上に前記被写体の光学像を形成可能に組み付けられていることを特徴とする。
【００３４】
請求項７に記載のデジタル機器は、請求項６の発明において、携帯端末からなることを特徴とする。
【発明の効果】
【００３５】
本発明によれば、撮像面が面中心から面周辺部に向かうにつれ物体側へ倒れるように湾曲している撮像素子とともに用いられ、コンパクトでありながら、自然な色調を持つ画像を取得できる撮像装置並びにデジタル機器を提供することができる。
【図面の簡単な説明】
【００３６】
【図１】本発明の撮像装置の一例における副光学素子Ｆと撮像面ＩＭの長辺方向断面図である。
【図２】図１の矢印II部を拡大して示す図である。
【図３】本実施の形態にかかる撮像ユニット５０の斜視図である。
【図４】撮像ユニット５０の撮像光学系の光軸に沿った断面を模式的に示した図である。
【図５】撮像ユニットを適用した携帯端末としてのスマートフォンの正面図（ａ）、及び撮像ユニットを適用したスマートフォンの背面図（ｂ）である。
【図６】図５のスマートフォンの制御ブロック図である。
【図７】実施例１の撮像レンズの光軸方向断面図である。
【図８】実施例１の収差図（球面収差（ａ）、非点収差（ｂ）、歪曲収差（ｃ））である。
【図９】実施例２の撮像レンズの光軸方向断面図である。
【図１０】実施例２の収差図（球面収差（ａ）、非点収差（ｂ）、歪曲収差（ｃ））である。
【図１１】実施例３の撮像レンズの光軸方向断面図である。
【図１２】実施例３の収差図（球面収差（ａ）、非点収差（ｂ）、歪曲収差（ｃ））である。
【発明を実施するための形態】
【００３７】
以下、本発明の実施の形態を、図面を参照して説明する。図３は、本実施の形態にかかる撮像ユニット（撮像装置）５０の斜視図であり、図４は、撮像ユニット５０の撮像レンズの光軸に沿った断面を模式的に示した図である。
【００３８】
図３、４に示すように、撮像ユニット５０は、光電変換部５１ａを有する固体撮像素子としてのＣＭＯＳ型撮像素子５１と、この撮像素子５１の光電変換部５１ａに被写体像を撮像させる撮像レンズ１０と、撮像素子５１を保持すると共にその電気信号の送受を行う基板５２と、物体側からの光入射用の開口部を有し遮光部材からなる鏡筒としての筐体５３とを備え、これらが一体的に形成されている。
【００３９】
図４に示すように、撮像素子５１は、その受光側の湾曲した面の中央部に、画素（光電変換素子）が２次元的に配置された、受光部としての光電変換部５１ａが形成されており、その周囲には信号処理回路（不図示）が形成されている。かかる信号処理回路は、各画素を順次駆動し信号電荷を得る駆動回路部と、各信号電荷をデジタル信号に変換するＡ／Ｄ変換部と、このデジタル信号を用いて画像信号出力を形成する信号処理部等から構成されている。また、撮像素子５１の受光側の湾曲した面の外縁近傍には、多数のパッド（図示略）が配置されており、ワイヤ（不図示）を介して基板５２に接続されている。撮像素子５１は、光電変換部５１ａからの信号電荷をデジタルＹＵＶ信号等の画像信号等に変換し、ワイヤ（不図示）を介して基板５２上の所定の回路に出力する。ここで、Ｙは輝度信号、Ｕ（＝Ｒ−Ｙ）は赤と輝度信号との色差信号、Ｖ（＝Ｂ−Ｙ)は青と輝度信号との色差信号である。なお、撮像素子は上記ＣＭＯＳ型のイメージセンサに限定されるものではなく、ＣＣＤ等の他のものを使用しても良い。ここで、式（１）を満たす。
TTL / Yd ≦ 1.70      （１）
但し、
TTL;撮像レンズの無限遠物体時の光学全長(ｍｍ)
Yd;撮像素子５１の撮像面上の対角方向の最大像高(ｍｍ)
（最大像高Ｙdは、湾曲した撮像面に沿った弧の長さを言う）
【００４０】
基板５２は、その上面で撮像素子５１及び筐体５３を支持している。図示していないが、基板５２は多数の信号伝達用パッドを有しており、不図示の配線を介して撮像素子５１と接続されている。
【００４１】
図４において、基板５２は、外部回路（例えば、撮像ユニットを実装した上位装置が有する制御回路）とを接続し、外部回路から撮像素子５１を駆動するための電圧やクロック信号の供給を受けたり、また、デジタルＹＵＶ信号を外部回路ヘ出力したりすることを可能とする。
【００４２】
更に、筐体５３は、基板５２における撮像素子５１が設けられた面上に、撮像素子５１を覆うようにして固定配置されている。即ち、筐体５３は、撮像素子５１側の部分が撮像素子５１を囲むように広く開口されると共に、他端部（物体側端部）が小開口を有するフランジ部５３ａを形成しており、基板５２上に撮像素子５１側の端部（像側端部）が当接固定されている。
【００４３】
撮像レンズ１０と撮像素子５１との間において、副光学素子としての厚さが略均一であるＩＲカットフィルターＦが配置されている。ＩＲカットフィルターＦは、赤外線を吸収もしくは反射する素材からなり、金型を用いて３次元的に湾曲成形され又はフィルム状のシートを３次元状に湾曲させてなる。但し、表面に赤外線を吸収もしくは反射する素材を付加的にコーティングしても良い。又、図示していないが、開口絞りは、第１レンズＬ１と第２レンズＬ２との間、もしくは第１レンズＬ１の物体側面の面頂点より像側であって、第１レンズＬ１の物体側面の最周辺部より物体側に配置されていると好ましい。図２を参照して、以下の条件式を満足する。
-2 ＞ A×B_S1 ＞ -10      （２）
-2 ＞ A×B_S2 ＞ -10      （３）
0.5 ＜ B_S2 / C ＜ 2      （４）
ここで、
A;YL'/[ D(exp)-x(IM)_YL' ]
B_S1; ( YL'-0.5YL' )/[ x(IR_S1)_0.5YL'- x(IR_S1)_YL' ]
B_S2; ( YL'-0.5YL' )/[ x(IR_S2)_0.5YL'- x(IR_S2)_YL' ]
C; ( YL'-0.5YL' )/[ x(IM)_0.5YL'- x(IM)_YL' ]
ただし、
YL'; 撮像素子５１の光電変換部５１ａ面上の長辺方向最大像高を光軸と垂直な面へ正射影した際の光軸からの高さ(ｍｍ)
0.5YL'; 撮像素子５１の光電変換部５１ａ面上の長辺方向最大の半分の像高を光軸と垂直な面へ正射影した際の光軸からの高さ(ｍｍ)
D(exp); 射出瞳位置から撮像素子５１の光電変換部５１ａ面までの距離(ｍｍ)
x(IM)_YL' ; 長辺方向光軸からの高さYL'における撮像素子５１の光電変換部５１ａの面頂点からの光軸方向サグ量(ｍｍ)
x(IM)_0.5YL' ; 長辺方向光軸からの高さ0.5YL'における撮像素子５１の光電変換部５１ａの面頂点からの光軸方向サグ量(ｍｍ)
x(IR_S1)_YL' ; 長辺方向光軸からの高さYL'におけるＩＲカットフィルターＦの物体側面の像側面頂点からの光軸方向サグ量(ｍｍ)
x(IR_S1)_0.5YL' ; 長辺方向光軸からの高さ0.5YL'におけるＩＲカットフィルターＦの物体側面の像側面頂点からの光軸方向サグ量(ｍｍ)
x(IR_S2)_YL' ; 長辺方向光軸からの高さYL'におけるＩＲカットフィルターＦの像側面の像側面頂点からの光軸方向サグ量(ｍｍ)
x(IR_S2)_0.5YL' ; 長辺方向光軸からの高さ0.5YL'におけるＩＲカットフィルターＦの像側面の像側面頂点からの光軸方向サグ量(ｍｍ)
【００４４】
筐体５３内に配置された撮像レンズ１０は、物体側より順に、第１レンズＬ１と、第２レンズＬ２と、第３レンズＬ３と、第４レンズＬ４と、第５レンズＬ５とを有する。
【００４５】
各レンズのフランジ間、及び第５レンズＬ５とＩＲカットフィルターＦとの間、ＩＲカットフィルターＦと基板５２との間には、それぞれスペーサＳＰが配置されてなり、光軸間距離を適正に維持している。
【００４６】
上述した撮像ユニット５０の動作について説明する。図５は、撮像ユニット５０をデジタル機器としてのスマートフォン１００に装備した状態を示す図である。また、図６はスマートフォン１００の制御ブロック図である。
【００４７】
撮像ユニット５０は、例えば、筐体５３の物体側端面がスマートフォン１００の背面（図３（ｂ）参照）に設けられ、タッチパネル７０の裏側に相当する位置に配設される。
【００４８】
撮像ユニット５０は、スマートフォン１００の制御部１０１と接続され、輝度信号や色差信号等の画像信号を制御部１０１側に出力する。
【００４９】
一方、スマートフォン１００は、図６に示すように、各部を統括的に制御すると共に、各処理に応じたプログラムを実行する制御部（ＣＰＵ）１０１と、番号等をキーにより指示入力するための入力部６０と、所定のデータの他に撮像した映像等を表示する液晶表示部７０と、外部サーバとの間の各種情報通信を実現するための無線通信部８０と、携帯電話機１００のシステムプログラムや各種処理プログラム及び端末ＩＤ等の必要な諸データを記憶している記憶部（ＲＯＭ）９１と、制御部１０１によって実行される各種処理プログラムやデータ、若しくは処理データ、或いは撮像ユニット５０により得られた撮像データ等を一時的に格納する作業領域として用いられる及び一時記憶部（ＲＡＭ）９２とを備えている。
【００５０】
スマートフォン１００は、入力キー部６０の操作によって動作し、タッチパネル（表示部）７０に表示されたアイコン７１等をタッチすることで、撮像ユニット５０を動作させて動画又は静止画撮像を行うことができる。撮像ユニット５０から入力された画像信号は、制御部１０１で後述する画像処理を施され、上記スマートフォン１００の制御系により、記憶部９２に記憶されたり、或いはタッチパネル７０で表示され、さらには、無線通信部８０を介して映像情報として外部に送信される。
【００５１】
［実施例］
以下、本発明の撮像レンズの実施例を示す。各実施例において、非球面係数が記載されている面が非球面形状を有する面であり、非球面の形状は、面の頂点を原点とし、光軸方向にＸ軸をとり、光軸と垂直方向の高さをｈとして以下の「数１」で表す。
【００５２】
【数１】
2015040869.tif 000003
ただし、
Ａｉ：ｉ次の非球面係数
Ｒ  ：曲率半径
Ｋ  ：円錐定数
【００５３】
（実施例１）
実施例１のレンズデータを表１に示す。なお、これ以降（表のレンズデータを含む）において、１０のべき乗数（たとえば２．５×１０-02）を、Ｅ（たとえば２．５Ｅ−０２）を用いて表すものとする。又、面番号中、Ｌ１〜Ｌ５はレンズを意味し、ＣＧは副光学素子を意味するとともに、Ｓ１は物体側面、Ｓ２は像側面を示す（以下同じ）。
【００５４】
［表１］
[実施例1] 
面番号  曲率半径    間隔    屈折率  アッベ数
物体    ∞          ∞      
L1-S1   2.0583      0.200   1.6347  23.87 
L1-S2   1.8472      0.123       
L2-S1   2.2004      0.612   1.5447  56.00 
L2-S2   -2.0944     0.050       
L3-S1   11.6532     0.200   1.6347  23.87 
L3-S2   4.5835      0.556       
L4-S1   -2.7444     0.281   1.6347  23.87 
L4-S2   13.4759     0.072       
L5-S1   0.8290      0.370   1.5447  56.00 
L5-S2   1.0837      1.035       
CG-S1   -8          0.11    1.5168  64.17 
CG-S2   -8.1100     0.417       
像面    -7.0648  
非球面係数   
S1(物体側面）       S2(像側面） 
L1  K=  3.1984E+00      K=  3.7717E+00
A3= -1.6461E-02     A3= 1.1200E-03
A4= -2.1165E-01     A4= -2.7435E-01
A5= -2.8445E-02     A5= 3.8555E-02
A6= -2.5660E-01     A6= -3.2458E-01
A8= 2.7658E-01      A8= 2.9400E-01
A10= -1.2928E-01    A10= -1.7082E-01
A12= 0.0000E+00     A12= 0.0000E+00
A14= 0.0000E+00     A14= 0.0000E+00
L2  K=  -1.1636E+00     K=  4.6054E+00
A3= 0.0000E+00      A3= 0.0000E+00
A4= 1.7399E-02      A4= 1.9939E-03
A5= 0.0000E+00      A5= 0.0000E+00
A6= -8.0898E-02     A6= 3.2562E-03
A8= 1.1877E-01      A8= 1.4373E-01
A10= -4.0864E-01    A10= -3.2907E-01
A12= 0.0000E+00     A12= 0.0000E+00
A14= 0.0000E+00     A14= 0.0000E+00
L3  K=  -3.4098E+01     K=  -2.0014E+01
A3= 1.2385E-02      A3= 3.6624E-02
A4= -8.7829E-02     A4= -4.1278E-02
A5= 2.1450E-02      A5= 1.9908E-03
A6= 7.1392E-02      A6= 1.1008E-01
A8= -3.2622E-02     A8= -3.3316E-02
A10= -7.9945E-02    A10= -1.6964E-02
A12= -1.0019E-01    A12= 0.0000E+00
A14= 0.0000E+00     A14= 0.0000E+00
L4  K=  -8.9844E+01     K=  8.4093E+01
A3= 2.2630E-03      A3= -2.6338E-01
A4= 1.7851E-01      A4= 2.5205E-01
A5= -5.5380E-01     A5= -1.0125E-01
A6= 5.4577E-01      A6= 2.3082E-02
A8= -3.7052E-01     A8= -3.7573E-02
A10= 1.8576E-01     A10= 9.9718E-03
A12= -5.3725E-02    A12= -8.9547E-04
A14= 0.0000E+00     A14= 0.0000E+00
L5  K=  -7.9694E+00     K=  -7.4687E-01
A3= -1.6951E-01     A3= -1.2424E-01
A4= 4.8149E-01      A4= -2.8979E-01
A5= -8.9543E-01     A5= 1.2375E-01
A6= 3.9945E-01      A6= -1.1371E-02
A7= 1.6222E-01      A7= -1.7879E-02
A8= -1.8607E-01     A8= 2.7458E-02
A10= 5.9254E-02     A10= -1.3955E-02
A12= -2.4339E-02    A12= 3.4977E-03
A14= 4.5405E-03     A14= -3.4175E-04
【００５５】
図７は実施例１の撮像レンズの断面図である。図中、撮像レンズは、物体側より順に、第１レンズＬ１と、第２レンズＬ２と、第３レンズＬ３と、第４レンズＬ４と、第５レンズＬ５とを有する。Ｓは開口絞り、IＭは撮像面（被投影面）であり、周辺が物体側に倒れるように３次元に湾曲した面である。又、Ｆは、第５レンズＬ５と撮像面ＩＭとの間に配置されたＩＲカットフィルターであり、周辺が物体側に倒れるように３次元に湾曲した面である。図８は実施例１の収差図（球面収差（ａ）、非点収差（ｂ）、歪曲収差（ｃ））である。ここで、球面収差図において、６２０ｎｍの光線、５４０ｎｍの光線、４６０ｎｍの光線に対する球面収差量をそれぞれ表し、非点収差図において、実線Ｓはサジタル面、点線Ｍはメリディオナル面を表す（以下、同じ）。
【００５６】
実施例１に関し、各値を以下に示す。
f（全系の焦点距離）：2.713ｍｍ (d線において)
FN（Ｆナンバー）：2.400
W（半画角）：54.092° 
TTL：3.542ｍｍ 
Yd：2.880ｍｍ 
YL ：2.304ｍｍ 
D(exp)：2.386ｍｍ 
YL' ：2.263ｍｍ 
0.5YL' ：1.147ｍｍ 
x(IM)_YL' ：0.372ｍｍ 
x(IM)_0.5YL' ：0.094ｍｍ 
x(IR_S1)_YL' ：0.437ｍｍ 
x(IR_S1)_0.5YL' ：0.193ｍｍ 
x(IR_S2)_YL' ：0.322ｍｍ 
x(IR_S2)_0.5YL' ：0.081ｍｍ 
傾きA ：1.124 
傾きB_S1 ：-4.572 
傾きB_S2 ：-4.638 
傾きC ：-4.007 
又、各式の値を以下に示す。
式（１）TTL/Yd：1.230 
式（２）A×B_S1：-5.139 
式（３）A×B_S1：-5.214 
式（４）B_S2/C：1.158 
【００５７】
（実施例２）
実施例２の撮像レンズのレンズデータを、表２に示す。
【００５８】
［表２］
[実施例2] 
面番号  曲率半径    間隔    屈折率  アッベ数
物体    ∞          ∞      
L1-S1   3.1026      0.200   1.6347  23.9 
L1-S2   2.4148      0.199       
L2-S1   2.1843      0.657   1.5447  56.0 
L2-S2   -2.2468     0.050       
L3-S1   132.9027    0.227   1.6347  23.9 
L3-S2   3.9072      0.822       
L4-S1   -8.5588     0.279   1.5447  56.0 
L4-S2   -10.9920    0.274       
L5-S1   1.0054      0.301   1.5447  56.0 
L5-S2   0.9152      1.190       
CG-S1   -10         0.11    1.5168  64.17 
CG-S2   -10.1100    0.584       
像面    -8.5349 
非球面係数  
S1(物体側面）       S2(像側面） 
L1  K=  6.7402E+00      K=  5.1833E+00
A3= -3.0437E-03     A3= 7.8093E-04
A4= -2.2471E-01     A4= -2.7767E-01
A5= 2.7362E-02      A5= 8.7164E-02
A6= -1.4519E-01     A6= -2.8147E-01
A8= 1.8059E-01      A8= 3.6068E-01
A10= -8.6298E-02    A10= -2.2805E-01
L2  K=  -1.0950E+00     K=  3.2123E+00
A4= 1.9225E-02      A4= 6.5414E-02
A6= -8.1666E-02     A6= 4.0866E-02
A8= 9.9151E-02      A8= -5.3960E-02
A10= -8.4279E-02    A10= -4.8041E-03
L3  K=  9.0000E+01      K=  -7.6099E+00
A3= -2.4805E-02     A3= -2.2002E-02
A4= -7.7377E-02     A4= -7.4676E-02
A5= -1.0490E-02     A5= -1.2404E-03
A6= 9.7467E-02      A6= 9.7846E-02
A8= 4.3378E-03      A8= -1.7013E-02
A10= -8.1709E-02    A10= -6.2383E-03
A12= 3.2503E-02      
L4  K=  -8.9779E+01     K=  3.6100E+01
A3= -1.4250E-01     A3= -2.9383E-01
A4= 3.8822E-01      A4= 2.6210E-01
A5= -5.9437E-01     A5= -5.1474E-02
A6= 4.9535E-01      A6= 2.9861E-02
A8= -2.7108E-01     A8= -5.1918E-02
A10= 1.1520E-01     A10= 1.2532E-02
A12= -2.2383E-02    A12= 6.9612E-04
L5  K=  -7.5139E+00     K=  -2.5058E+00
A3= -2.5305E-01     A3= -2.0087E-01
A4= 5.0759E-01      A4= -7.9728E-02
A5= -8.5471E-01     A5= 1.3789E-01
A6= 4.1004E-01      A6= -7.2152E-02
A7= 1.4831E-01      A7= -2.2530E-02
A8= -1.9155E-01     A8= 4.4154E-02
A10= 6.1564E-02     A10= -1.3306E-02
A12= -2.2959E-02    A12= 2.3149E-03
A14= 3.8035E-03     A14= -1.6418E-04
【００５９】
図９は実施例２のレンズの断面図である。図中、撮像レンズは、物体側より順に、第１レンズＬ１と、第２レンズＬ２と、第３レンズＬ３と、第４レンズＬ４と、第５レンズＬ５とを有する。Ｓは開口絞り、Iは撮像面を示し、周辺が物体側に倒れるように３次元に湾曲した面である。又、Ｆは、第５レンズＬ５と撮像面ＩＭとの間に配置されたＩＲカットフィルターであり、周辺が物体側に倒れるように３次元に湾曲した面である。図１０は実施例２の収差図（球面収差（ａ）、非点収差（ｂ）、歪曲収差（ｃ））である。
【００６０】
実施例２に関し、各値を以下に示す。
f（全系の焦点距離）：3.251ｍｍ (d線において)
FN（Ｆナンバー）：2.401 
W（半画角）：45.669°
TTL：4.244ｍｍ 
Yd ：2.880ｍｍ 
YL  2.304ｍｍ 
D(exp)：2.960ｍｍ 
YL'：2.276ｍｍ 
0.5YL' ：1.148ｍｍ 
x(IM)_YL' ：0.309ｍｍ 
x(IM)_0.5YL' ：0.078ｍｍ 
x(IR_S1)_YL' ：0.372ｍｍ 
x(IR_S1)_0.5YL'：0.176ｍｍ 
x(IR_S2)_YL' ：0.259ｍｍ 
x(IR_S2)_0.5YL' ：0.065ｍｍ 
傾きA ：0.859 
傾きB_S1 ：-5.745 
傾きB_S2 ：-5.810 
傾きC ：-4.872 
又、各式の値を以下に示す。
式（１）TTL/Yd ：1.474
式（２）A×B_S1 ：-4.932 
式（３）A×B_S1 ：-4.988 
式（４）B_S2/C ：1.193 
【００６１】
（実施例３）
実施例３の撮像レンズのレンズデータを、表３に示す。
【００６２】
［表３］
[実施例3]
面番号  曲率半径    間隔    屈折率  アッベ数
物体    ∞          ∞      
L1-S1   1.2591      0.352   1.5447  56.2 
L1-S2   3.0881      0.194       
L2-S1   4.8557      0.151   1.6347  23.9 
L2-S2   2.4309      0.175       
L3-S1   5.6934      0.330   1.5447  56.2 
L3-S2   -9.5564     0.495       
L4-S1   -39.1062    0.486   1.5447  56.2 
L4-S2   -0.9482     0.334       
L5-S1   -1.1429     0.200   1.5447  56.2 
L5-S2   2.8233      0.317       
CG-S1   -10.0000    0.11    1.5168  64.17 
CG-S2   -10.1100    0.286       
像面    -14.0000 
非球面係数 
S1（物体側面）      S2（像側面）    
L1  K=  2.2528E-01      K=  -2.2736E+00
A4= 7.0534E-03      A4= -5.7476E-02
A6= 3.0549E-02      A6= 7.2217E-02
A8= -6.2919E-02     A8= -4.2098E-01
A10= 7.0473E-02     A10= 1.0457E-01
A12= -3.2895E-02    A12= -1.7824E-01
A14= -2.3286E-01    A14= 1.3330E-01
L2  K=  -2.9615E+01     K=  -2.6854E+01
A4= -3.6376E-01     A4= -1.1310E-01
A6= 2.3540E-01      A6= 1.6625E-01
A8= -4.6503E-01     A8= -2.9109E-02
A10= -4.4065E-02    A10= 1.0960E-01
A12= 2.3307E-01     A12= 6.8118E-02
A14= 8.0473E-01     A14= 3.2002E-01
L3  K=  2.9207E+01      K=  0.0000E+00
A4= -1.7251E-01     A4= -1.2005E-01
A6= 6.7241E-02      A6= -1.9680E-02
A8= 6.0246E-02      A8= 1.6695E-02
A10= -1.2038E-01    A10= -1.1273E-03
A12= 9.9392E-02     A12= -1.6350E-02
A14= -2.4944E-02    A14= 4.5416E-02
L4  K=  2.8604E+01      K=  -3.4947E+00
A4= -1.1887E-01     A4= -9.9218E-02
A6= 5.9359E-02      A6= 7.4777E-02
A8= -3.1564E-02     A8= -4.4462E-03
A10= -4.3897E-03    A10= -2.1725E-03
A12= 2.7108E-03     A12= -1.0744E-03
A14= 7.0581E-04     A14= 2.4107E-04
L5  K=  -8.0888E+00     K=  -1.1559E+01
A4= -6.5297E-02     A4= -7.0364E-02
A6= 2.9514E-02      A6= 2.0338E-02
A8= -1.5006E-03     A8= -5.8761E-03
A10= -9.9592E-04    A10= 5.5735E-04
A12= 1.8145E-04     A12= -7.1544E-06
A14= -9.7277E-06    A14= 2.0919E-07
【００６３】
図１１は実施例３のレンズの断面図である。図中、撮像レンズは、物体側より順に、第１レンズＬ１と、第２レンズＬ２と、第３レンズＬ３と、第４レンズＬ４と、第５レンズＬ５とを有する。Ｓは開口絞り、Iは撮像面を示し、周辺が物体側に倒れるように３次元に湾曲した面である。又、Ｆは、第５レンズＬ５と撮像面ＩＭとの間に配置されたＩＲカットフィルターであり、周辺が物体側に倒れるように３次元に湾曲した面である。図１２は実施例３の収差図（球面収差（ａ）、非点収差（ｂ）、歪曲収差（ｃ））である。
【００６４】
実施例３に関し、各値を以下に示す。
f（全系の焦点距離）：2.699ｍｍ (e線において)
FN（Ｆナンバー）：2.088 
W（半画角）：45.533°
TTL：3.428ｍｍ 
Yd ：2.750ｍｍ 
YL ：2.200ｍｍ 
D(exp) ：2.152ｍｍ 
YL' ：2.191ｍｍ 
0.5YL' ：1.099ｍｍ 
x(IM)_YL' ：0.172ｍｍ 
x(IM)_0.5YL' ：0.043ｍｍ 
x(IR_S1)_YL' ：0.353ｍｍ 
x(IR_S1)_0.5YL' ：0.171ｍｍ 
x(IR_S2)_YL' ：0.240ｍｍ 
x(IR_S2)_0.5YL' ：0.060ｍｍ 
傾きA ： 1.107
傾きB_S1 ： -5.987
傾きB_S2 ： -6.055
傾きC ： -8.446
又、各式の値を以下に示す。
式（１）TTL/Yd ： 1.247
式（２）A×B_S1 ： -6.628
式（３）A×B_S1 ： -6.703
式（４）B_S2/C ： 0.717
【００６５】
本発明の本質から明らかであるが、撮像レンズは５枚レンズ構成に限られず、３枚、４枚、もしくは６枚以上のレンズから構成されていても良い。
【符号の説明】
【００６６】
１０   撮像レンズ
５０  撮像ユニット
５１  撮像素子
５１ａ  光電変換部
５２  基板
５３   鏡筒
６０   入力部
７０   タッチパネル
８０   無線通信部
９１   記憶部
９２   一時記憶部
１００   スマートフォン
１０１   制御部
Ｉ  撮像面
Ｆ  ＩＲカットフィルター
Ｌ１〜Ｌ５   レンズ
【図１】
2015040869.tif 000004
【図２】
2015040869.tif 000005
【図３】
2015040869.tif 000006
【図４】
2015040869.tif 000007
【図５】
2015040869.tif 000008
【図６】
2015040869.tif 000009
【図７】
2015040869.tif 000010
【図８】
2015040869.tif 000011
【図９】
2015040869.tif 000012
【図１０】
2015040869.tif 000013
【図１１】
2015040869.tif 000014
【図１２】
2015040869.tif 000015